(57)【要約】      （修正有）【課題】矩形基板を研削する場合に、テーブルの回転等の複雑な制御を行わずとも研削後の矩形基板の厚さばらつきを小さく抑える。【解決手段】回転するスピンドル２１に装着された砥石２４ａにより、テーブル３の矩形基板Ｗと同形状の矩形の保持面３１ａを研削し、矩形保持面３１ａの辺又は対角線長さが異なることに起因する砥石２４ａの研削面積の変化によりテーブル保持面３１ａを湾曲面に形成するステップと、研削後テーブル保持面３１ａに矩形基板Ｗを保持するステップと、砥石２４ａによりテーブル保持面３１ａに保持された矩形基板Ｗの裏面Ｗｂを湾曲面の状態で研削するステップと、を備え、矩形基板Ｗ研削時に発生する研削面積差異に起因する矩形基板裏面Ｗｂの湾曲を、保持面研削ステップにおいて矩形基板Ｗと同形状の矩形保持面３１ａを備えたテーブル３の保持面３１ａに同様に形成することで、研削後の矩形基板Ｗの厚さ精度を向上させる。【選択図】図５
2020055080.tif 000002
【特許請求の範囲】
【請求項１】
矩形基板の裏面を所望の仕上げ厚さまで研削する矩形基板の研削方法であって、
研削ユニットのモータにより回転駆動するスピンドルに装着された研削砥石によって、チャックテーブルの該矩形基板と同形状の矩形の保持面を研削し、該矩形の保持面の辺または対角線の長さが異なることに起因する該研削砥石の研削面積の変化によって該チャックテーブルの保持面を湾曲面に形成する保持面研削ステップと、
該保持面研削ステップにて研削された該チャックテーブルの保持面に該矩形基板の表面を保持する保持ステップと、
該研削ユニットに装着された研削砥石によって該チャックテーブルの保持面に保持された該矩形基板の裏面を湾曲面の状態で研削する矩形基板研削ステップと、を備え、
該矩形基板を研削する際に発生する研削面積差異に起因する該裏面の湾曲を、該保持面研削ステップにおいて該矩形基板と同形状の矩形の該保持面を備えたチャックテーブルの該保持面に予め同様に形成することにより、研削後の該矩形基板の厚さ精度を向上させることを特徴とする矩形基板の研削方法。
【請求項２】
前記チャックテーブルの保持面は前記矩形基板と同材質であることを特徴とする請求項１記載の矩形基板の研削方法。
【発明の詳細な説明】
【技術分野】
【０００１】
本発明は、矩形基板の研削方法に関する。
【背景技術】
【０００２】
半導体デバイスの製造プロセスにおいては、ＬＳＩ等の回路が形成された複数の半導体チップがプリント基板等にマウントされて、半導体チップの電極が基板の電極にボンディング接続された後、樹脂によって表面又は裏面が封止されることでＣＳＰ(Ｃｈｉｐ  Ｓｉｚｅ  Ｐａｃｋａｇｅ)基板等のパッケージ基板が形成される。
【０００３】
近年の電子機器の小型化・薄型化に伴って、半導体デバイスも小型化・薄型化が切望されており、半導体デバイスの製造プロセスにおいて、半導体チップが樹脂封止されたパッケージ基板の樹脂封止面を研削して薄化し製造される。このようなパッケージ基板は矩形（正方形及び長方形）に形成されることもあり、矩形基板の研削では、チャックテーブルに吸引保持された矩形基板の上面に対し、回転する研削砥石を接触させる。そして、矩形基板が所望の厚さになるまで研削砥石による研削が継続される。
【０００４】
研削対象となる矩形基板においては、研削中に接触する研削砥石の研削面積（研削砥石が矩形基板に当たっている面積）が矩形基板内で広くなったり狭くなったり大きく相違することとなる。かかる相違によって、矩形基板に対する研削負荷も変化し、矩形基板に対する研削砥石の研削面積が広くなっている状態においては研削負荷が大きくなり研削力が低下し研削後の矩形基板の厚さが他所よりも厚くなり、矩形基板に対する研削砥石の研削面積が狭くなっている状態においては研削負荷が小さくなり研削力が上昇し研削後の矩形基板の厚さが他所よりも薄くなる。
このように矩形基板内で研削力に変化が生じるため、研削後の矩形基板の厚さばらつきが大きく発生するという問題がある。特に、長方形の基板は、短辺、長辺、対角線の長さの差がより大きくなるため、長方形基板内で研削力に変化がより大きく生じるため、研削後の長方形基板の厚さばらつきがより大きく発生するという問題がある。
【０００５】
この問題に対処すべく、研削砥石に対して研削面積の大きくなる矩形基板の対角線方向に研削砥石が近づくとともにチャックテーブルの回転速度を高速化し、研削砥石が矩形基板の対角線方向から離れるとともに保持テーブルの回転速度を低速化させ、単位時間当たりの研削面積を同一化させることで、厚さばらつきを抑制する技術がある（例えば、特許文献１参照）。
【先行技術文献】
【特許文献】
【０００６】
【特許文献１】特許６２９２９５８号公報
【発明の概要】
【発明が解決しようとする課題】
【０００７】
しかし、特許文献１に記載の技術では、研削装置がチャックテーブルの回転や研削砥石の回転等について複雑な制御を行う必要があるため問題となる。
よって、矩形基板を研削する場合においては、研削装置がチャックテーブルの回転等についての複雑な制御を行わずとも、研削後の矩形基板の厚さばらつきを小さく抑えるという課題がある。
【課題を解決するための手段】
【０００８】
上記課題を解決するための本発明は、矩形基板の裏面を所望の仕上げ厚さまで研削する矩形基板の研削方法であって、研削ユニットのモータにより回転駆動するスピンドルに装着された研削砥石によって、チャックテーブルの該矩形基板と同形状の矩形の保持面を研削し、該矩形の保持面の辺または対角線の長さが異なることに起因する該研削砥石の研削面積の変化によって該チャックテーブルの保持面を湾曲面に形成する保持面研削ステップと、該保持面研削ステップにて研削された該チャックテーブルの保持面に該矩形基板の表面を保持する保持ステップと、該研削ユニットに装着された研削砥石によって該チャックテーブルの保持面に保持された該矩形基板の裏面を湾曲面の状態で研削する矩形基板研削ステップと、を備え、該矩形基板を研削する際に発生する研削面積差異に起因する該裏面の湾曲を、該保持面研削ステップにおいて該矩形基板と同形状の矩形の該保持面を備えたチャックテーブルの該保持面に予め同様に形成することにより、研削後の該矩形基板の厚さ精度を向上させることを特徴とする矩形基板の研削方法である。
【０００９】
前記チャックテーブルの保持面は前記矩形基板と同材質であると好ましい。
【発明の効果】
【００１０】
本発明に係る矩形基板の研削方法は、研削ユニットのモータにより回転駆動するスピンドルに装着された研削砥石によって、チャックテーブルの矩形基板と同形状の矩形の保持面を研削し（セルフグラインドし）、矩形の辺または対角線の長さが異なることに起因する研削砥石の研削面積の変化によってチャックテーブルの保持面を湾曲面に形成する保持面研削ステップと、保持面研削ステップにて研削されたチャックテーブルの保持面に矩形基板の表面を保持する保持ステップと、研削ユニットに装着された研削砥石によってチャックテーブルの保持面に保持された矩形基板の裏面を湾曲面の状態で研削する矩形基板研削ステップと、を備えているため、矩形基板を研削する際に発生する研削面積差異に起因する矩形基板の裏面の湾曲を、保持面研削ステップにおいて矩形基板と同形状の矩形の保持面を備えたチャックテーブルの保持面に予め同様に形成することにより、研削後の矩形基板の厚さ精度を向上させることが可能となる。
【００１１】
チャックテーブルの保持面を矩形基板と同材質とすることで、矩形基板研削ステップにおいて、矩形基板を研削する際の研削加工条件を保持面研削ステップにおける研削加工条件と同様に設定できるため、より矩形基板研削ステップをスムーズかつ容易に実施することが可能となる。
【図面の簡単な説明】
【００１２】
【図１】図１（Ａ）は、チャックテーブルの一例を示す平面図である。図１（Ｂ）は、チャックテーブルの一例を示す斜視図である。
【図２】図２（Ａ）は、保持面研削ステップを説明するための凸部の短手方向からチャックテーブル及び研削ユニットを見た側面図である。図２（Ｂ）は、保持面研削ステップを説明するための凸部の長手方向からチャックテーブル及び研削ユニットを見た側面図である。
【図３】図３（Ａ）は、保持面研削ステップ実施後のチャックテーブルの凸部を短手方向から見た側面図である。図３（Ｂ）は、保持面研削ステップ実施後のチャックテーブルの凸部を長手方向から見た側面図である。
【図４】図４（Ａ）は、矩形基板研削ステップを説明するための凸部の短手方向から矩形基板を保持したチャックテーブル及び研削ユニットを見た側面図である。図４（Ｂ）は、矩形基板研削ステップを説明するための凸部の長手方向から矩形基板を保持したチャックテーブル及び研削ユニットを見た側面図である。
【図５】従来の矩形基板の研削方法における問題点を説明するための斜視図である。
【発明を実施するための形態】
【００１３】
以下に、本発明に係る矩形基板の研削方法の各ステップについて説明する。
（１）保持面研削ステップ
図１（Ａ）、（Ｂ）に示すチャックテーブル３は、例えば、その外形が円形板状であり樹脂又は合金等からなる基部３０を備えており、基部３０の上面に平面視矩形状の凸部３１及び凸部３２が突設されている。なお、矩形状とは、正方形状及び長方形状を含む。本実施形態においては、凸部３１と凸部３２とが基部３０の上面に凸部３１及び凸部３２の短手方向（Ｘ軸方向）に所定間隔を空けて２つ配設されているが、例えば、矩形状の凸部が基部３０の上面に４つ若しくは６つ水平面（Ｘ軸Ｙ軸平面）方向に等間隔空けて、又は１つ配設されていてもよい。
例えば、凸部３１（３２）の短手方向長さは６９ｍｍであり、長手方向長さは２３２ｍｍとなっている。
【００１４】
例えば、凸部３１（３２）は樹脂又は合金等の材料からなり、厚さ方向に複数の吸引溝や複数の吸引孔が貫通形成され、該吸引溝や吸引孔は基部３０内に形成された流路を介して図示しない吸引源に連通している。そして、吸引源が吸引することで生み出された吸引力が、吸引溝や吸引孔を介しての凸部３１（３２）の上面である保持面３１ａ（３２ａ）に伝達されることで、チャックテーブル３は保持面３１ａ（３２ａ）上で矩形基板Ｗを吸引保持する。
図１（Ａ）、（Ｂ）においては、チャックテーブル３の保持面３１ａ及び保持面３２ａは研削される前の状態であり、略平坦面となっている。
【００１５】
凸部３１（３２）の構成は上記例に限定されるものではない。凸部３１（３２）は、例えば、ポーラス部材等からなり矩形基板Ｗを吸着保持する矩形板状の吸着部と、吸着部がはめ込まれた状態で吸着部を囲繞して支持する枠体とを備えていてもよい。吸着部は基部３０内に形成された流路を介して図示しない吸引源に連通し、吸引源が吸引することで生み出された吸引力が、吸着部の露出面（凸部３１（３２）の上面）である矩形状の保持面３１ａ（３２ａ）に伝達されることで、チャックテーブル３は２つの保持面３１ａ及び保持面３２ａ上でそれぞれ矩形基板Ｗを吸引保持する。
【００１６】
図１（Ａ）、（Ｂ）に示す矩形基板Ｗは、本実施形態においては、凸部３１（３２）の保持面３１ａ（３２ａ）と同材質の樹脂又は合金からなる基板である。矩形基板Ｗは、例えば、ＩＣ、ＬＳＩ等の集積回路が形成されたチップが樹脂によってパッケージングされたＣＳＰ（Ｃｈｉｐ  Ｓｉｚｅ  Ｐａｃｋａｇｅ）、ＱＦＮ（Ｑｕａｄ  Ｆｌａｔ  ＮＯＮ−Ｌｅａｄｅｄ  Ｐａｃｋａｇｅ）等の矩形基板や、ガラスやサファイアなどの硬質脆性材の基板であってもよい。
【００１７】
図２（Ａ）、（Ｂ）に示すように、本発明に係る矩形基板の研削方法においては、まず、チャックテーブル３の平坦な保持面３１ａ及び保持面３２ａを研削ユニット２の研削砥石２４ａで研削する。
研削ユニット２は、軸方向がＺ軸方向であるスピンドル２１と、スピンドル２１を回転駆動するモータ２２と、スピンドル２１の下端側に連結されたマウント２３と、マウント２３の下面に着脱可能に装着された研削ホイール２４とを備える。研削ユニット２は、図示しない研削送り手段によってＺ軸方向に往復移動可能となっている。
【００１８】
研削ホイール２４は、円環状のホイール基台２４ｂと、ホイール基台２４ｂの下面に環状に複数配設された略直方体形状の研削砥石２４ａとを備えている。研削砥石２４ａは、例えば、適宜のバインダーでダイヤモンド砥粒等が固着されて成形されている。
研削ホイール２４の直径は、例えば、チャックテーブル３の基部３０の半径よりも大きく、基部３０の直径よりも小さく設定されている。
【００１９】
例えば、スピンドル２１の内部には、研削水供給源に連通し研削水の通り道となる図示しない流路が、スピンドル２１の軸方向に貫通して形成されており、流路は研削ホイール２４の底面において研削砥石２４ａに向かって研削水を噴出できるように開口している。
図２（Ａ）、（Ｂ）において、チャックテーブル３は研削ユニット２に対して相対的にＹ軸方向に往復移動可能であると共に、チャックテーブル３の中心を通るＺ軸方向の軸心周りに回転可能となっている。
【００２０】
保持面研削ステップでは、チャックテーブル３が、研削ユニット２の下までＹ軸方向へ移動して、研削ユニット２に備える研削ホイール２４と凸部３１の保持面３１ａ及び凸部３２の保持面３２ａとの位置合わせがなされる。位置合わせは、例えば、図２（Ａ）、（Ｂ）に示すように、研削ホイール２４の回転中心がチャックテーブル３の回転中心に対して所定の距離だけ水平方向にずれ、研削砥石２４ａの回転軌道がチャックテーブル３の回転中心を通るように行われる。
【００２１】
ここで、図１（Ａ）、（Ｂ）においては、上記のように研削ユニット２に備える研削ホイール２４と凸部３１の保持面３１ａ及び凸部３２の保持面３２ａとの位置合わせがなされた場合に、保持面３１ａ及び保持面３２ａの４辺または２つの対角線の長さが異なることに起因する回転する研削砥石２４ａの研削面積（研削砥石２４ａが保持面３１ａ（３２ａ）に当たっている面積）の変化によって、チャックテーブル３の研削される前の略平坦な保持面３１ａ及び保持面３２ａが研削砥石２４ａによってどの程度研削されやすいかを、色の濃淡で示している。
【００２２】
図１（Ａ）、（Ｂ）において、凸部３１（３２）の保持面３１ａ（３２ａ）中で色が相対的に濃い箇所は、研削中に保持面３１ａ（３２ａ）に対する研削砥石２４ａの研削面積が広くなり研削負荷が増加することで研削砥石２４ａの研削力が低下するため、研削されにくい箇所を示している。
図１（Ａ）、（Ｂ）において、凸部３１（３２）の保持面３１ａ（３２ａ）中で色が相対的に薄い箇所は、研削中に保持面３１ａ（３２ａ）に対する研削砥石２４ａの研削面積が狭くなり研削負荷が減少することで研削砥石２４ａの研削力が高まるため、研削されやすい箇所を示している。
【００２３】
図２（Ａ）、（Ｂ）に示すように、モータ２２によりスピンドル２１が回転駆動されるのに伴って、研削ホイール２４がＺ軸方向の軸心周りに回転する。また、研削ユニット２が−Ｚ方向へと降下していき、研削砥石２４ａが凸部３１（３２）の保持面３１ａ（３２ａ）に当接することで研削加工が行われる。研削中は、チャックテーブル３もＺ軸方向の軸心周りに回転するため、研削砥石２４ａが凸部３１（３２）の保持面３１ａ（３２ａ）の全面の研削加工を行う。
例えば、研削加工中は、研削水をスピンドル２１中の流路を通して研削砥石２４ａと凸部３１（３２）の保持面３１ａ（３２ａ）との接触部位に対して供給して、接触部位を冷却・洗浄する。
【００２４】
所定時間上記研削加工を実施することで、図３（Ａ）、（Ｂ）に示すように、チャックテーブル３の保持面３１ａ及び保持面３２ａの４辺または２つの対角線の長さが異なることに起因する回転する研削砥石２４ａの研削面積の変化によって、保持面３１ａ及び保持面３２ａが湾曲面に研削される。以後、湾曲面となった保持面３１ａを保持面３１１ａとし、湾曲面となった保持面３２ａを保持面３２２ａとする。
そして、研削ユニット２が上昇し、研削砥石２４ａが保持面３１１ａ及び保持面３２２ａから離間して、保持面研削ステップが終了する。
【００２５】
図３（Ａ）、（Ｂ）に示す湾曲面である保持面３１１ａ及び保持面３２２ａの湾曲の仕方は、図１（Ａ）、（Ｂ）に示す保持面３１ａ及び保持面３２ａの研削砥石２４ａによる研削のされやすさ（されにくさ）によって定まっている。
【００２６】
（２）保持ステップ
次に、保持面研削ステップにて研削されたチャックテーブル３の保持面３１１ａ及び保持面３２２ａに２枚の矩形基板Ｗの表面Ｗａをそれぞれ保持する。即ち、図４（Ａ）、（Ｂ）に示すように、短手方向及び長手方向を合わせて、かつ、矩形基板Ｗの中心と凸部３１（３２）の保持面３１１ａ（３２２ａ）の中心とが略合致するようにして、矩形基板Ｗが保持面３１１ａ（３２２ａ）に載置される。そして、図示しない吸引源により生み出される吸引力が、保持面３１１ａ（３２２ａ）に伝達されることにより、チャックテーブル３が保持面３１１ａ（３２２ａ）で矩形基板Ｗを吸引保持する。
吸引保持された矩形基板Ｗは、全体的に湾曲面となっている保持面３１１ａ（３２２ａ）にならってその裏面Ｗｂが湾曲面となる。
【００２７】
（３）矩形基板研削ステップ
次に、研削ユニット２に装着された研削砥石２４ａによってチャックテーブル３の保持面３１１ａ（３２２ａ）に保持された２枚の矩形基板Ｗの裏面Ｗｂを湾曲面の状態で研削する。
矩形基板研削ステップでは、チャックテーブル３が、研削ユニット２の下までＹ軸方向へ移動して、研削ユニット２に備える研削ホイール２４と２枚の矩形基板Ｗとの位置合わせがなされる。位置合わせは、例えば、図４（Ａ）、（Ｂ）に示すように、研削ホイール２４の回転中心がチャックテーブル３の回転中心に対して所定の距離だけ水平方向にずれ、研削砥石２４ａの回転軌道がチャックテーブル３の回転中心を通るように行われる。
【００２８】
そして、図４（Ａ）、（Ｂ）に示すように、モータ２２によりスピンドル２１が回転駆動されるのに伴って、研削ホイール２４がＺ軸方向の軸心周りに回転する。また、研削ユニット２が−Ｚ方向へと降下していき、研削砥石２４ａが各矩形基板Ｗの裏面Ｗｂに当接することで研削加工が行われる。研削中は、チャックテーブル３もＺ軸方向の軸心周りに回転するため、研削砥石２４ａが各矩形基板Ｗの湾曲した状態の裏面Ｗｂの全面の研削加工を行う。
例えば、研削加工中は、研削水をスピンドル２１中の流路を通して研削砥石２４ａと各矩形基板Ｗの湾曲した状態の裏面Ｗｂとの接触部位に対して供給して、接触部位を冷却・洗浄する。
【００２９】
本実施形態においては矩形基板Ｗが、凸部３１（３２）の保持面３１１ａ（３２２ａ）と同材質の樹脂又は合金からなる基板であるため、矩形基板研削ステップでは、先に実施した保持面研削ステップにおける研削加工条件（研削ユニット２の−Ｚ方向への研削送り速度、研削ホイール２４の回転速度、及びチャックテーブル３の回転速度等）をそのまま適用できる。
一方、矩形基板Ｗが、凸部３１（３２）の保持面３１１ａ（３２２ａ）と異なる材質からなる基板である場合には、矩形基板研削ステップでは、先に実施した保持面研削ステップにおける研削加工条件（研削ユニット２の−Ｚ方向への研削送り速度、研削ホイール２４の回転速度、及びチャックテーブル３の回転速度等）を適宜変更する。
【００３０】
ここで、例えば、従来の矩形基板の研削方法のように、図５に示す研削されていないチャックテーブル３の保持面３１ａ（３２ａ）で矩形基板Ｗを吸引保持して矩形基板Ｗの裏面Ｗｂの研削を行う場合の問題点について説明する。
図５においては、研削ホイール２４の回転中心が２枚の矩形基板Ｗを保持したチャックテーブル３の回転中心に対して所定の距離だけ水平方向にずれ、研削砥石２４ａの回転軌道がチャックテーブル３の回転中心を通るように位置付けがされている。この状態で、研削ユニット２が−Ｚ方向へと降下していき、回転する研削砥石２４ａが各矩形基板Ｗの裏面Ｗｂに当接することで研削加工が行われる。研削中は、チャックテーブル３もＺ軸方向の軸心周りに回転するため、研削砥石２４ａが各矩形基板Ｗの湾曲した状態の裏面Ｗｂの全面の研削加工を行う。
【００３１】
図５においては、矩形基板Ｗの４辺または２つの対角線の長さが異なることに起因する回転する研削砥石２４ａの研削面積（研削砥石２４ａが矩形基板Ｗに当たっている面積）の変化によって、矩形基板が研削砥石２４ａによってどの程度研削されやすいかを色の濃淡で示している。
【００３２】
図５において、平坦な保持面３１ａ（３２ａ）で保持された矩形基板Ｗの裏面Ｗｂで色が相対的に濃い箇所は、研削砥石２４ａの研削面積が広くなり研削負荷が増加することで研削砥石２４ａの研削力が低下するため、研削されにくい箇所を示している。
図５において、平坦な保持面３１ａ（３２ａ）中で色が相対的に薄い箇所は、保持面３１ａ（３２ａ）に対する研削砥石２４ａの研削面積が狭くなり研削負荷が減少することで研削砥石２４ａの研削力が高まるため、研削されやすい箇所を示している。
したがって、従来の矩形基板の研削方法では、研削後の矩形基板Ｗは、裏面Ｗｂの色の濃い箇所は厚くなり、裏面Ｗｂの色の薄い箇所は薄くなり研削厚さの均一性が落ちる、即ち、研削後の矩形基板Ｗに研削砥石２４ａの研削面積差異に起因した裏面Ｗｂの湾曲が存在するという問題が生じ得る。
【００３３】
一方、本発明に係る矩形基板の研削方法においては、研削ユニット２のモータ２２により回転駆動するスピンドル２１に装着された研削砥石２４ａによって、チャックテーブル３の矩形基板Ｗと同形状の矩形の保持面３１ａ（３２ａ）を研削し、矩形の保持面３１ａ（３２ａ）の辺または対角線の長さが異なることに起因する研削砥石２４ａの研削面積の変化によってチャックテーブル３の保持面３１ａ（３２ａ）を湾曲面３１１ａ（３２２ａ）に形成する保持面研削ステップと、保持面研削ステップにて研削されたチャックテーブル３の保持面３１１ａ（３２２ａ）に矩形基板Ｗの表面Ｗａを保持する保持ステップと、研削ユニット２に装着された研削砥石２４ａによってチャックテーブル３の保持面３１１ａ（３２２ａ）に保持された矩形基板Ｗの裏面Ｗｂを湾曲面の状態で研削する矩形基板研削ステップと、を備え、矩形基板Ｗを研削する際に発生する研削面積差異に起因する裏面Ｗｂの湾曲を、保持面研削ステップにおいて矩形基板Ｗと同形状の矩形の保持面３１ａ（３２ａ）を備えたチャックテーブル３の保持面３１ａ（３２ａ）に予め同様に形成することにより、研削後の矩形基板Ｗの厚さ精度を向上させることが可能となる。
【００３４】
即ち、矩形基板研削ステップにおいて、従来はより研削されにくかった矩形基板Ｗの裏面Ｗｂ中のある領域が、研削砥石２４ａの研削面に対して他の領域よりも相対的に上方に上げられた状態で、かつ、従来はより研削されやすかった矩形基板Ｗの裏面Ｗｂ中のある領域が、研削砥石２４ａの研削面に対して他の領域よりも相対的に下方に下げられた状態で、研削を行っていくことができる。したがって、矩形基板Ｗの裏面Ｗｂ中のより研削されにくかった領域は、従来のようにチャックテーブル３の平坦な保持面３１ａ（３２ａ）で矩形基板Ｗを吸引保持して研削する場合よりも、本発明に係る研削方法における場合の方が研削砥石２４ａで局所的に研削されやすくなる。また、矩形基板Ｗの裏面Ｗｂ中のより研削されやすかった領域は、従来のようにチャックテーブル３の平坦な保持面３１ａ（３２ａ）で矩形基板Ｗを吸引保持して研削する場合よりも、本発明に係る研削方法における場合の方が研削砥石２４ａで局所的に研削されにくくなる。その結果、図４（Ａ）、（Ｂ）に示す矩形基板Ｗの裏面Ｗｂ全面に均一な研削加工が施されていく。
【００３５】
矩形基板Ｗの裏面Ｗｂが矩形基板Ｗが所望の仕上げ厚さになるまで研削された後、研削ユニット２が上昇し、研削砥石２４ａが２枚の矩形基板Ｗから離間して、矩形基板研削ステップが終了する。さらに、チャックテーブル３による矩形基板Ｗの吸引保持が解除されることで、湾曲した保持面３１１ａ（３２２ａ）にならうように保持されていた矩形基板Ｗが、保持面３１１ａ（３２２ａ）上で裏面Ｗｂが略平坦な状態になる。
【００３６】
なお、本発明に係る矩形基板の研削方法は上記実施形態に限定されるものではなく、また、添付図面に図示されている研削ユニット２及びチャックテーブル３の構成等についても、これに限定されず、本発明の効果を発揮できる範囲内で適宜変更可能である。
【符号の説明】
【００３７】
Ｗ：矩形基板  Ｗａ：矩形基板の表面  Ｗｂ：矩形基板の裏面
３：チャックテーブル  ３０：基部  ３１、３２：凸部  ３１ａ、３２ａ：保持面
３１１ａ、３２２ａ：湾曲した保持面
２：研削ユニット  ２１：スピンドル  ２２：モータ  ２３：マウント  ２４：研削ホイール  ２４ａ：研削砥石  ２４ｂ：ホイール基台
【図１】
2020055080.tif 000003
【図２】
2020055080.tif 000004
【図３】
2020055080.tif 000005
【図４】
2020055080.tif 000006
【図５】
2020055080.tif 000007